(57)【特許請求の範囲】
【請求項１】
表示パネルと、この表示パネルが保持されるパネルケースと、前記表示パネルの縁部前方側に配置され加圧によって変形する被変形部材とを備え、前記パネルケースに前記縁部を係止する係止部を設け、この係止部の先端が前記表示パネルの可視領域を定める見返し部材を介して前記被変形部材を支持し、前記係止部が前記被変形部材の変形量が最大となる箇所に対応して設けられ、前記見返し部材は、前記係止部に略対応した箇所に前記被変形部材に当接するリブを突設するようにしたことを特徴とする被変形部材の変形防止構造。
【発明の詳細な説明】
【技術分野】
【０００１】
本発明は、表示パネルの縁部前方側に配置された被変形部材の撓みを抑えるようにした被変形部材の変形防止構造に関するものである。
【背景技術】
【０００２】
例えば車両用の表示装置に於いて、液晶表示パネルの縁部前方側に液晶表示パネルとは異なる表示器などを配置したものとして、例えば下記特許文献１に記載のものが知られている。特許文献１に於ける表示装置は、液晶表示パネル８の非表示領域である縁部前方側にパイロット表示部１６を配置したものである。この様に構成することによって、車両運転者が表示装置を正面から見た際、コンパクトな表示装置を提供することができるというものである。
【０００３】
特許文献１に於いては、液晶表示パネル８の縁部前方側にパイロット表示部１６を配置したが、パイロット表示部１６に替えて例えば液晶表示パネル８の表示項目を切り替える押釦式のスイッチを配置することもある。その際は、スイッチが半田付けされたプリント基板と、このスイッチを外部から押圧可能とする操作部材とを液晶表示パネル８の縁部に対向する上ケース２２の覆い部２５に装着するようにする。
【特許文献１】特開２００３−７６２９５号公報
【発明の開示】
【発明が解決しようとする課題】
【０００４】
しかしながら、操作者（車両運転者）が操作部材を必要以上に強く押圧することによって、スイッチが押されてプリント基板（被変形部材）が下方（液晶表示パネル８側）に撓み（変形し）、半田にクラックが入って導通不良を起こしたり、最悪、被変形部材であるプリント基板の破損に至る虞がある。
【０００５】
本発明はこの様な点に鑑みなされたもので、表示パネルの縁部前方側に配置した被変形部材に外圧が加わったとしても、被変形部材に撓みが生じにくい被変形部材の変形防止構造を提供することを目的とする。
【課題を解決するための手段】
【０００６】
本発明は前記目的を達成するため、表示パネルと、この表示パネルが保持されるパネルケースと、前記表示パネルの縁部前方側に配置され加圧によって変形する被変形部材とを備え、前記パネルケースに前記縁部を係止する係止部を設け、この係止部の先端が前記表示パネルの可視領域を定める見返し部材を介して前記被変形部材を支持し、前記係止部が前記被変形部材の変形量が最大となる箇所に対応して設けられ、前記見返し部材は、前記係止部に略対応した箇所に前記被変形部材に当接するリブを突設するようにしたものである。
【発明の効果】
【００１０】
表示パネルの縁部前方側に配置した被変形部材に外圧が加わったとしても、被変形部材に撓みが生じにくい被変形部材の変形防止構造を得ることができる。
【発明を実施するための最良の形態】
【００１１】
本発明の被変形部材の変形防止構造を適用した車両の表示装置を実施形態として説明する。図１は表示装置の部分断面図を示す。図２は表示装置に備えられている表示パネルと被変形部材との位置関係を示す正面図である。図３は表示パネルをパネルケースに保持した状態を示す部分断面図（図２に於けるＡ−Ａ断面相当）である。なお、本実施形態に於いては、被変形部材をプリント基板とし、係止部を係止片として説明する。
【００１２】
表示装置は、液晶表示ユニット１と、この液晶表示ユニット１が収納された黒色の合成樹脂からなるケース２と、液晶表示ユニット１の縁部前方側に配置されたスイッチユニット３と、液晶表示ユニット１およびスイッチユニット３の前方側に配置された無色透明な合成樹脂からなる透視板４を備えている。
【００１３】
液晶表示ユニット１は、車両に関する走行距離情報，燃費情報，外気温情報などを表示する透過型の液晶表示パネル１１（表示パネル）と、液晶表示パネル１１が保持されるパネルケース１２と、液晶表示パネル１１の背後に配置され液晶表示パネル１１を照明する光源としての発光ダイオード１３や液晶表示パネル１１を駆動させる回路（図示せず）などが実装された硬質の回路基板１４と、液晶表示パネル１１とパネルケース１２との間に配置され発光ダイオード１３からの光を液晶表示パネル１１の裏面側に均一に導くための透過性の拡散板１５と、液晶表示パネル１１の周縁前方側に配置され液晶表示パネル１１の可視領域を定める見返し部材１６を備えている。
【００１４】
液晶表示パネル１１は、詳細は図示しないが周知の如く、前側ガラス基板１１１と後側ガラス基板１１２との間に液晶分子を封入し、各々のガラス基板１１１，１１２に偏光膜を貼ったものである。そして、各ガラス基板１１１，１１２に設けた図示しない電極部に外部測定量に応じた信号（電圧）が印加されると、車両に関する情報が表示される液晶表示部（図示せず）が黒色で現れるようになっている。液晶表示部以外の背景部は、回路基板１４に実装してある発光ダイオード１３の点灯によって透過照明されるようになっている。
【００１５】
パネルケース１２は、例えば白色の合成樹脂からなり、拡散板１５および液晶表示パネル１１の周縁が載置される載置部１２１と、周壁１２２と、底壁１２３などを有している。また、図２および図３に示す様に、周壁１２２先端の一端側には液晶表示パネル１１をパネルケース１２に保持するための２個の係止突起１２４と、この係止突起１２４と対向する他端側に係止爪１２５を有する弾性変形可能な係止片１２６が設けてある。係止片１２６は３個設けてあり、液晶表示パネル１１端縁のほぼ中央に対応した箇所に１個の係止片１２６Ａが設けられ、他の２個の係止片１２６Ｂは両側に設けられている。
【００１６】
見返し部材１６は、例えば黒色の合成樹脂からなり、液晶表示パネル１１の可視領域を定める開口部１６１を有し、液晶表示パネル１１の周縁は覆うようにしてある。また、パネルケース１２に設けられた中央の係止片１２６Ａにほぼ対応した前面側箇所にはリブ１６２が突設してある。この見返し部材１６は係止片１２６Ａの先端に当接するように配置してある。
【００１７】
液晶表示ユニット１の組み付けは次の様にして行う。回路基板１４が装着されたパネルケース１２の載置部１２１上に拡散板１５を載置する。次に、液晶表示パネル１１の一端を係止突起１２４の下側（拡散板１５側）に差し込み、他端を押し込む。この際、液晶表示パネル１１の後側ガラス基板１１２が各係止片１２６の傾斜面１２７に当接した状態で押し込まれるために各係止片１２６が外側に撓む。そして、液晶表示パネル１１の後側ガラス基板１１２が係止爪１２５から外れると、各係止片１２６が元の位置に戻って係止爪１２５が後側ガラス基板１１２に係止される。その後、見返し部材１６を配置する。その際、前述した様に見返し部材１６が係止片１２６Ａの先端に当接するようになっている。なお、液晶表示パネル１１と回路基板１４との電気的な接続はＦＰＣを用いて行うが、図示および説明は省略する。
【００１８】
スイッチユニット３は、被変形部材としての略長方形のプリント基板３１と、このプリント基板３１に半田付け固定され可動部３２１を有するスイッチ３２と、このスイッチ３２の前方側に配置され押圧操作することによりスイッチ３２の可動部３２１を作動させる操作部材３３と、スイッチ３２が固定されたプリント基板３１および操作部材３３が収納されるスイッチケース３４を備えている。スイッチ３２はプリント基板３１のほぼ中心箇所に固定されている。
【００１９】
操作部材３３は、例えば黒色の合成樹脂からなり、円柱状のシャフト部３３１と、このシャフト部３３１の下端側（スイッチ３２側）に設けられた径大のフランジ部３３２を有しており、シャフト部３３１の下端（フランジ部３３２でもある）がスイッチ３２の可動部３２１に当接している。
【００２０】
スイッチケース３４は、例えば黒色の合成樹脂からなり、プリント基板３１とほぼ同径の箱形で上壁部３４１と側壁部３４２を有している。また、上壁部３４１のほぼ中心であって操作部材３３のシャフト部３３１に対応した箇所には円筒部３４３が設けられ、シャフト部３３１が挿通されている。このシャフト部３３１の先端側は透視板４に設けられた開口穴４１から表示装置外に突出している。
【００２１】
スイッチユニット３の組み付けは次の様にして行う。スイッチケース３４の円筒部３４３に内側から操作部材３３のシャフト部３３１を挿入する。次に、スイッチ３２が固定されたプリント基板３１を側壁部３４２の段部３４４に配置して、図示しないが例えばビスを用いてプリント基板３１の長手方向の両端側をスイッチケース３４の側壁部３４２にねじ止めする。この際、前述した様にスイッチ３２の可動部３２１がフランジ部３３２に当接するようになっている。
【００２２】
そして、操作部材３３のシャフト部３３１を透視板４の開口穴４１に挿通させてスイッチユニット３を透視板４に組み付ける。その後、スイッチユニット３が装着された透視板４をケース２に組み付ける。この際、プリント基板３１のほぼ中心箇所の背面が見返し部材１６のリブ１６２に当接するようになっている。図２に於いて、破線で示した四角がプリント基板３１を示し、円が見返し部材１６のリブ１６２を示す。
【００２３】
スイッチ３２の作動は、操作部材３３を操作することによって行われる。つまり、透視板４の開口穴４１から表示装置の外部に突出しているシャフト部３３１を下方（スイッチ３２側）に押すことによってスイッチ３２の可動部３２１が押され、液晶表示部である例えば走行距離の表示切り換え（トータル距離値とトリップ距離値の表示切り換え、あるいはトリップ距離値のゼロセットなど）ができる。押すことを止めると操作部材３３が元の位置に戻るようになっている。
【００２４】
この様に、液晶表示パネル１１と、この液晶表示パネル１１が保持されるパネルケース１２と、液晶表示パネル１１の前方側に配置され液晶表示パネル１１の可視領域を定める見返し部材１６と、液晶表示パネル１１の縁部に対応した見返し部材１６の前方側にスイッチ３２が固定され、このスイッチ３２を押圧することによって変形するプリント基板３１とを備え、パネルケース１２に縁部を係止する係止片１２６Ａを設け、この係止片１２６Ａの先端が見返し部材１６に当接すると共に、見返し部材１６にリブ１６２を設け、このリブ１６２の先端がプリント基板３１に当接するようにしたことにより、スイッチ３２を押圧する操作部材３３を下方に必要以上に強く押してプリント基板３１が撓もうとしても、見返し部材１６のリブ１６２および係止片１２６Ａが支えとなってプリント基板３１の変形が抑えられる。
【００２５】
また、スイッチ３２がプリント基板３１のほぼ中心箇所に固定してあるため、プリント基板３１の中心が最も撓みやすくなるが、この変形量が最大となる箇所に見返し部材１６のリブ１６２が位置するために、操作部材３３のシャフト部３３１を下方に必要以上に強く押したとしても、リブ１６２によってプリント基板３１が撓みにくくなる。更に、液晶表示パネル１１の縁部を係止する係止片１２６Ａが見返し部材１６のリブ１６２にほぼ対応した位置に設けてあるために、プリント基板３１の変形は殆ど発生しなくなる。
【００２６】
なお、本実施形態に於いては、液晶表示ユニット１とスイッチユニット３との間に見返し部材１６を配置したが、見返し部材１６を設けなくとも良い。即ち、係止片１２６の先端がプリント基板３１（望ましくは、プリント基板３１が最も撓みやすい箇所）に直接当接するようにしても良い。この場合であっても、前記実施形態と同様な効果が得られる。
【００２７】
また、本実施形態に於いては係止部を弾性変形可能な係止片１２６Ａとして説明したが、例えば係止突起１２４を係止部として、この係止突起１２４の先端がプリント基板３１あるいは見返し部材１６に当接するようにしても良い。また、被変形部材をプリント基板３１としてが、力を加えれば撓むような部材であれば形状，材料などは問わず任意であり、固定される部品もスイッチ３２に限定するものではない。
【図面の簡単な説明】
【００２８】
【図１】本発明の実施形態を示し、本発明を適用した表示装置の部分断面図。
【図２】同表示装置に備えられている表示パネルと被変形部材との位置関係を示す正面図。
【図３】同表示パネルをパネルケースに保持した状態を示す部分断面図（図２に於けるＡ−Ａ断面相当）。
【符号の説明】
【００２９】
１１  液晶表示パネル（表示パネル）
１２  パネルケース
１６  見返し部材
１２６Ａ  係止片（係止部）
１６２  リブ
３１  プリント基板（被変形部材）
【図１】
0005224093.tif 000002
【図２】
0005224093.tif 000003
【図３】
0005224093.tif 000004